(57)【要約】【課題】携帯端末において、キー配置に左右されることなく、十分な大きさの表示画面を確保し、横画面スタイルでのキー入力操作を容易にする。【解決手段】表示画面を有する第一の構成部分と、操作キーを有する第二の構成部分とを備え、操作キーは、テンキーを含む第一の操作部と、四方向キーを含む第二の操作部とを備えた携帯端末であって、第一の構成部分における表示画面を有する側の反対側に四方向キーを含む第三の操作部を備え、この第三の操作部は、第一の操作部が露出し、第二の操作部が第一の構成部分によって覆われた状態において第一の構成部分の表示画面を有する側の反対側に露出する位置に設けられる。【選択図】図１
2009225007.tif 000002
【特許請求の範囲】
【請求項１】
表示画面を有する第一の構成部分と、操作キーを有する第二の構成部分とを備え、
上記第一の構成部分と上記第二の構成部分とが上記表示画面を外側にし、上記操作キーが上記第一の構成部分によって覆われるように重なり合って配置される操作入力不可状態と、
上記操作キーが上記表示画面と同じ側に並ぶように上記第一の構成部分と上記第二の構成部分とがズレて配置される操作入力可能状態と
が設定可能であり、
上記操作キーは、テンキーを含む第一の操作部と、四方向キーを含む第二の操作部とを備えた
携帯端末において、
上記第一の構成部分における上記表示画面を有する側の反対側に四方向キーを含む第三の操作部を備え、
この第三の操作部は、上記第一の操作部が露出し、上記第二の操作部が上記第一の構成部分によって覆われた状態において上記第一の構成部分の上記表示画面を有する側の反対側に露出する位置に設けられた
ことを特徴とする携帯端末。
【請求項２】
前記第二の操作部が露出しているときには、前記第三の操作部の操作入力を無効とする手段を備えた請求項１記載の携帯端末。
【請求項３】
前記第一の操作部が露出し、前記第二の操作部が前記第一の構成部分に覆われているときには、前記第三の操作部の操作入力を有効とする手段を備えた請求項１または２記載の携帯端末。
【請求項４】
携帯端末の傾きを検出する傾きセンサを備え、
この傾きセンサの検出結果に基づき、前記第一の操作部と前記第三の操作部とが水平方向に並ぶ傾きであり、前記表示画面に対し、前記第三の操作部が右に位置するときと左に位置するときとでは、前記第三の操作部の四方向キーにおける上下左右の操作方向を互いに反対に設定する手段を備えた
請求項１から３のいずれか１項記載の携帯端末。
【請求項５】
前記傾きセンサの検出結果に基づき、前記第一の操作部と前記第三の操作部とが水平方向に並ぶ傾きであるときには、前記第一の操作部におけるキー定義を変更する手段を備えた請求項４記載の携帯端末。
【請求項６】
前記キー定義を変更する手段は、前記表示画面に対し、前記第一の操作部が右に位置するときと左に位置するときとでは、第一の操作部のキー定義を変更する手段を備えた請求項５記載の携帯端末。
【請求項７】
表示画面を有する第一の構成部分と、操作キーを有する第二の構成部分とを備え、
上記第一の構成部分と上記第二の構成部分とが上記表示画面を外側にし、上記操作キーが上記第一の構成部分によって覆われるように重なり合って配置される操作入力不可状態と、
上記操作キーが上記表示画面と同じ側に並ぶように上記第一の構成部分と上記第二の構成部分とがズレて配置される操作入力可能状態と
が設定可能であり、
上記操作キーは、テンキーを含む第一の操作部と、四方向キーを含む第二の操作部とを備え、
上記第一の構成部分における上記表示画面を有する側の反対側に四方向キーを含む第三の操作部を備え、
この第三の操作部は、上記第一の操作部が露出し、上記第二の操作部が上記第一の構成部分によって覆われた状態において上記第一の構成部分の上記表示画面を有する側の反対側に露出する位置に設けられた
携帯端末に適用される操作キーの制御方法であって、
操作入力を無効とする手段が、上記第二の操作部が露出しているときには、上記第三の操作部の操作入力を無効とし、
操作入力を有効とする手段が、上記第一の操作部が露出し、上記第二の操作部が上記第一の構成部分に覆われているときには、上記第三の操作部の操作入力を有効とする
ことを特徴とする操作キーの制御方法。
【請求項８】
操作方向を互いに反対に設定する手段が、携帯端末の傾きを検出する傾きセンサの検出結果に基づき、前記第一の操作部と前記第三の操作部とが水平方向に並ぶ傾きであり、前記表示画面に対し、前記第三の操作部が右に位置するときと左に位置するときとでは、前記第三の操作部の四方向キーにおける上下左右の操作方向を互いに反対に設定する請求項７載の操作キーの制御方法。
【請求項９】
キー定義を変更する手段が、携帯端末の傾きを検出する傾きセンサの検出結果に基づき、前記第一の操作部と前記第三の操作部とが水平方向に並ぶ傾きであるときには、前記第一の操作部におけるキー定義を変更する請求項７記載の操作キーの制御方法。
【請求項１０】
前記キー定義を変更する手段が、前記表示画面に対し、前記第一の操作部が右に位置するときと左に位置するときとでは、第一の操作部のキー定義を変更する請求項９記載の操作キーの制御方法。
【請求項１１】
情報処理装置にインストールすることにより、その情報処理装置に、
表示画面を有する第一の構成部分と、操作キーを有する第二の構成部分とを備え、
上記第一の構成部分と上記第二の構成部分とが上記表示画面を外側にし、上記操作キーが上記第一の構成部分によって覆われるように重なり合って配置される操作入力不可状態と、
上記操作キーが上記表示画面と同じ側に並ぶように上記第一の構成部分と上記第二の構成部分とがズレて配置される操作入力可能状態と
が設定可能であり、
上記操作キーは、テンキーを含む第一の操作部と、四方向キーを含む第二の操作部とを備え、
上記第一の構成部分における上記表示画面を有する側の反対側に四方向キーを含む第三の操作部を備え、
この第三の操作部は、上記第一の操作部が露出し、上記第二の操作部が上記第一の構成部分によって覆われた状態において上記第一の構成部分の上記表示画面を有する側の反対側に露出する位置に設けられた
携帯端末に適用される操作キーの制御機能を実現するプログラムであって、
上記第二の操作部が露出しているときには、上記第三の操作部の操作入力を無効とする機能と、
上記第一の操作部が露出し、上記第二の操作部が上記第一の構成部分に覆われているときには、上記第三の操作部の操作入力を有効とする機能と
を実現することを特徴とするプログラム。
【請求項１２】
携帯端末の傾きを検出する傾きセンサの検出結果に基づき、前記第一の操作部と前記第三の操作部とが水平方向に並ぶ傾きであり、前記表示画面に対し、前記第三の操作部が右に位置するときと左に位置するときとでは、前記第三の操作部の四方向キーにおける上下左右の操作方向を互いに反対に設定する機能を実現する請求項１１記載のプログラム。
【請求項１３】
前記傾きセンサの検出結果に基づき、前記第一の操作部と前記第三の操作部とが水平方向に並ぶ傾きであるときには、前記第一の操作部におけるキー定義を変更する機能を実現する請求項１２記載のプログラム。
【請求項１４】
前記キー定義を変更する機能として、前記表示画面に対し、前記第一の操作部が右に位置するときと左に位置するときとでは、第一の操作部のキー定義を変更する機能を実現する請求項１３記載のプログラム。
【発明の詳細な説明】
【技術分野】
【０００１】
本発明は、携帯端末および操作キーの制御方法およびプログラムに関する。
【背景技術】
【０００２】
携帯端末を操作するキー入力は、表示画面を見ながら行う。このため、通常の携帯端末は、方向キーや決定／数字キーの各種キーは、表示画面と同一面に配置されているものが主流である。
【０００３】
また、ＴＶ画像やフルブラウザ機能を利用する場合などの用途では、表示画面を横にして使用する機種もある。特許文献１には、携帯端末を横向きにした場合と縦向きにした場合とでキー配置を変更する提案がなされている。
【０００４】
【特許文献１】特開２００５−１２４９３号公報
【発明の開示】
【発明が解決しようとする課題】
【０００５】
最近、携帯端末は持ち易さと操作性とを要求され、小型化されてきてはいるものの、マルチメディア機能が充実し、表示画面の大画面化が主流となってきいている。携帯端末を操作するキー入力部は、通常、表示画面を見ながら行うため、方向キーや決定／数字キーの各種キーは、表示画面と同一面に配置されることが多い。このため表示画面は、各種キーが配置された残りの部分へ配置する必要がある。また、折り畳み構造の場合は、ヒンジを挟み表示画面と反対側に、キー入力部を配置させる場合が多い。
【０００６】
このように、表示画面もキー配置によってそのエリア（大きさ）を制限されてしまうことが多い。したがって、大画面とはいってもその大きさには限界があり、マルチメディア機能を楽しむためには、表示画面の大きさは十分でなかった。
【０００７】
また、ＴＶ画像やフルブラウザ機能を利用する場合のような、表示画面を横にして携帯端末を使用する場合のキー入力作業は、使用できるキーが制限され、非常に作業しづらいという問題があった。これについては特許文献１に、この問題を解決するための提案がなされている。
【０００８】
本発明は、このような背景の下に行われたものであって、キー配置に左右されることなく、十分な大きさの表示画面を有し、横画面スタイルでのキー入力操作を容易にする、携帯端末および操作キーの制御方法およびプログラムを提供することを目的とする。
【課題を解決するための手段】
【０００９】
本発明は、表示画面を有する第一の構成部分と、操作キーを有する第二の構成部分とを備え、上記第一の構成部分と上記第二の構成部分とが上記表示画面を外側にし、上記操作キーが上記第一の構成部分によって覆われるように重なり合って配置される操作入力不可状態と、上記操作キーが上記表示画面と同じ側に並ぶように上記第一の構成部分と上記第二の構成部分とがズレて配置される操作入力可能状態とが設定可能であり、上記操作キーは、テンキーを含む第一の操作部と、四方向キーを含む第二の操作部とを備えた携帯端末である。
【００１０】
ここで、本発明の特徴とするところは、上記第一の構成部分における上記表示画面を有する側の反対側に四方向キーを含む第三の操作部を備え、この第三の操作部は、上記第一の操作部が露出し、上記第二の操作部が上記第一の構成部分によって覆われた状態において上記第一の構成部分の上記表示画面を有する側の反対側に露出する位置に設けられたところにある。
【００１１】
また、本発明を操作キーの制御方法としての観点から観ると、本発明は、本発明の携帯端末に適用される操作キーの制御方法であって、本発明の特徴とするところは、操作入力を無効とする手段が、上記第二の操作部が露出しているときには、上記第三の操作部の操作入力を無効とし、操作入力を有効とする手段が、上記第一の操作部が露出し、上記第二の操作部が上記第一の構成部分に覆われているときには、上記第三の操作部の操作入力を有効とするところにある。
【００１２】
また、本発明をプログラムとしての観点から観ると、本発明は、情報処理装置にインストールすることにより、その情報処理装置に、本発明の携帯端末に適用される操作キーの制御機能を実現するプログラムであって、本発明の特徴とするところは、前記第二の操作部が露出しているときには、前記第三の操作部の操作入力を無効とする機能と、前記第一の操作部が露出し、前記第二の操作部が前記第一の構成部分に覆われているときには、前記第三の操作部の操作入力を有効とする機能とを実現するところにある。
【発明の効果】
【００１３】
本発明によれば、キー配置に左右されることなく、十分な大きさの表示画面を有し、横画面スタイルでのキー入力操作を容易にする、携帯端末を実現することができる。
【発明を実施するための最良の形態】
【００１４】
本発明の実施形態の携帯端末を図１から図４を参照して説明する。図１および図２は、本発明の実施形態の携帯端末の構成図である。図１は、後述する操作入力可能状態であり、図２は、後述する操作入力不可状態である。図３は、本発明の実施形態の携帯端末のブロック構成図である。図４は、横画面スタイルで携帯端末を使用する場合の状態を示す図である。
【００１５】
本発明の実施形態の携帯端末は、図１および図２に示すように、表示画面１を有する第一の構成部分である表示モジュール部１と、四方向キー部３および数字キー部４を有する第二の構成部分であるキー入力モジュール部２とを備え、表示モジュール部１とキー入力モジュール部２とが表示画面６を外側にし、四方向キー３および数字キー部４が表示モジュール部１によって覆われるように重なり合って配置される操作入力不可状態（図２）と、四方向キー３および数字キー４が表示画面１と同じ側に並ぶように表示モジュール部１とキー入力モジュール部２とがズレて配置される操作入力可能状態（図１）とが設定可能である携帯端末である。
【００１６】
ここで、特徴とするところは、表示モジュール部１における表示画面６を有する側の反対側に四方向キー部５を備え、この四方向キー部５は、数字キー部４が露出し、四方向キー部３が表示モジュール部１によって覆われた状態において表示モジュール部１の表示画面６を有する側の反対側に露出する位置に設けられたところにある。
【００１７】
また、四方向キー部３が露出しているときには、四方向キー部５の操作入力を無効とし、数字キー部４が露出し、四方向キー部３が表示モジュール部１に覆われているときには、四方向キー部５の操作入力を有効とする手段を制御部７に備えている。
【００１８】
さらに、携帯端末の傾きを検出する傾きセンサ部１２を備え、制御部７は、この傾きセンサ部１２の検出結果に基づき、数字キー部４と四方向キー部５とが水平方向に並ぶ傾きであり、表示画面６に対し、四方向キー部５が右に位置するときと左に位置するときとでは、四方向キー部５の上下左右の操作方向を互いに反対に設定する手段を備えている。
【００１９】
さらに、制御部７は、傾きセンサ部１２の検出結果に基づき、数字キー部４と四方向キー部５とが水平方向に並ぶ傾きであるときには、数字キー部４におけるキー定義を変更する手段を備えている。
【００２０】
さらに、制御部７は、表示画面１に対し、数字キー部４が右に位置するときと左に位置するときとでは、数字キー部４のキー定義を変更する手段を備えている。
【００２１】
以下では、本発明の実施形態の携帯端末についてさらに詳細に説明する。
（概要の説明）
【００２２】
前述した課題を解決するために、各操作で使用する入力キーの一部が、様々な情報を表示する表示画面が配置される面とは、異なる面に配置されることを特徴とする。
【００２３】
その入力キー部は、筐体の一部をスライドさせることで、表示画面と異なる面に姿を現し、表示画面と同じ面に姿を現すキー入力部と共に、入力操作を行う。この筐体の一部をスライドさせることで、表示画面と異なる面に姿を現すキー入力部は、通常筐体内に格納されている。この構造により、キー配置に左右されることなく、様々な情報を表示するために十分な大きさの表示画面を有することができる。
【００２４】
図１に示すように、携帯端末は、スライド式のキー入力モジュール部２を有している。このスライド式のキー入力モジュール部２は２段階でスライドし、使用シーンによりそのスライド量を選択することができる。
【００２５】
図４に示すように、横画面スタイルで携帯端末を使用する場合には、キー入力モジュール部２を１段階スライドさせ、表示画面裏側に配置され、キー入力モジュール部２をスライドさせると姿を現す四方向キー部５と、スライドさせ表示画面側に姿を現す数字キー部４にてキー入力操作を行う。
【００２６】
四方向キー部５は、図２の状態では液晶裏側に姿を現さず、図１に示すように、キー入力モジュール部２をスライドさせると、表示画面裏側に現れる。また、通話するときや片手で携帯端末を使用する場合は、図１のようにキー入力モジュール部２を２段階スライドさせて使用する。このときに、四方向キー部５の操作入力は無効となる。
【００２７】
そして、携帯端末は、傾きセンサ部１２を内蔵しており、それぞれの使用シーンを傾きセンサ部１２で検出することにより、キー入力モジュール部２と液晶裏側に現れる四方向キー部５のキーアサインとを変更し、使用スタイルによって使いこなすことができる。
【００２８】
図３に示すように、ブロック構成は、制御部７、表示部８、入力部９、無線部１０、メモリ部１１、傾きセンサ部１２、撮影部１３により構成される。制御部７は、各部を制御する。表示部８は、制御部７の制御に基づき表示画面６に画像情報、文字情報、図形情報などを表示する。入力部９は、四方向キー部３および５、数字キー部４からの操作入力を受け取り制御部７に伝達する。無線部１０は、携帯端末と無線基地局との間の無線通信を制御する。メモリ部１１は、各種情報を記憶する。傾きセンサ部１２は、携帯端末の傾きを検出する。撮影部１３は、携帯端末が内蔵するカメラ装置を制御する。
【００２９】
以下、本発明の実施形態の携帯端末の動作について説明する。
【００３０】
ＴＶ画像の視聴やフルブラウザ機能を利用する場合のような、表示画面６を横にし、横画面スタイルにて携帯端末を使用する場合には、キー入力モジュール部２を１段階スライドさせる。この場合には、図４のようにキー入力モジュール部２をスライドさると表示画面６側に出現するキーは、数字キー部４のみである。四方向キー部３にあたる入力部は、キー入力モジュール部２をスライドさせると、表示画面６とは反対側に四方向キー部５が出現する。このときには、四方向キー部３は、表示モジュール部１に覆われており入力操作は不可能である。
【００３１】
図４（ａ）のスタイルでは、表示画面６とは反対側にある四方向キー部５を左手で操作し、右手で数字キー部３を操作する。また、図４（ｂ）のスタイルでは、表示画面６とは反対側にある四方向キー部５を右手で操作し、左手で数字キー部３を操作する。これにより、横スタイルで両手を使用したキー操作を容易にする。また、本実施形態の携帯端末は、傾きセンサ部１２を内蔵しており、それぞれの使用シーンを傾きセンサ部１２で判別できる機能を有する。
【００３２】
図１の縦スタイル状態を検出した場合には、キー入力モジュール部２がスライドして、表示画面６の裏側に出現する四方向キー部５は操作入力は無効となり誤入力を禁止し、キー入力操作は、四方向キー部３と数字キー部４とで実施する。
【００３３】
四方向キー部５の操作入力を無効とするタイミングは、キー入力モジュール２が２段階スライドしたことを携帯端末が内蔵しているスイッチ（図示せず）によって検出したことを受けて四方向キー部５の操作入力を無効とする。
【００３４】
その他の実施例として、傾きセンサ部１２により携帯端末が縦方向であることを検出したことを受けて四方向キー部５の操作入力を無効とすることも考えられる。しかしながら、この実施例では、携帯端末が水平に置かれて使用されるような場合には、傾きセンサ部１２が傾きを検出できないので実用的ではない。
【００３５】
前述したように、横画面スタイルの場合は、図４（ａ）または（ｂ）のように２つのスタイルで使用することができる。これは横画面スタイルで使用する場合に、効き手等の違いにより、キー配置を変更できることを可能とする。例えば、左手で四方向キー部５、右手で数字キー部４を操作する場合は、ユーザは、図４（ａ）のスタイルで携帯端末を使用する。右手で四方向キー部５、左手で数字キー部４を操作する場合は、図４（ｂ）の使用スタイルでユーザは使用できる。
【００３６】
このように、それぞれのスタイルを傾きセンサ部１２が検出し、その判別状況が制御部７に通知され、メモリ部１１に内蔵されたそれぞれの使用シーンにあったキーアサインを選択し、ユーザの使用シーンにあった適切なキーアサインを実現する。
【００３７】
次に、傾きの検出によるキー配置の変更の手順を図５から図９を参照して説明する。図５は、制御部７の処理手順を示すフローチャートである。図６は、左側モードのキー配置を示す図である。図７は、右側モードのキー配置を示す図である。図８は、四方向キー部５が表示画面６に対して右側にある状態を示す図である。図９は、四方向キー部５が表示画面６に対して左側にある状態を示す図である。
【００３８】
図５に示すように、制御部７は、四方向キー部５が有効である状態（すなわち、キー入力モジュール部２が１段階スライドした状態）のときに（ステップＳ１のＹｅｓ）、携帯端末の傾きを検出し（ステップＳ２）、表示画面６に対して四方向キー部５が右側にあるならば（ステップＳ３のＹｅｓ）、キー配置を右側モードとし（ステップＳ４）、表示画面６に対して四方向キー部５が左側にあるならば（ステップＳ３のＮｏ）、キー配置を左側モードとする（ステップＳ５）。
【００３９】
図６に示すように、左側モードにおけるキー配置は、スイッチｓｗ１が上、スイッチｓｗ２が左、スイッチｓｗ３が下、スイッチｓｗ４が右になる。これに対し、図７に示すように、右側モードにおけるキー配置は、スイッチｓｗ１が下、スイッチｓｗ２が右、スイッチｓｗ３が上、ステップｓｗ４が左になる。
【００４０】
図８に示すように、四方向キー部５が表示画面６に対して右側にある場合には、ユーザが手に持って操作する際には、＋θの傾きを有する。これに対し、図９に示すように、四方向キー部５が表示画面６に対して左側にある場合には、ユーザが手に持って操作する際には、−θの傾きを有する。傾きセンサ部１２は、この傾き＋θまたは−θを検出することにより、制御部７は、四方向キー部５が表示画面６に対して右側にあるか左側にあるかを認識することができる。
【００４１】
なお、数字キー部４のキー配置の変更も四方向キー部５のキー配置の変更と連動させて行う。数字キー部４のキー配置の変更に関しては特許文献１の提案を用いることができるので、詳細な説明は省略する。
（効果の説明）
【００４２】
以上説明したように、各種情報を表示する表示画面６とは反対側に配置された四方向キー部５を、キー入力モジュール部２をスライドさせることで出現させて配置することで、キー配置に左右されることなく、様々な情報を表示する表示画面６の大きさを十分に確保することができる。
【００４３】
また、内蔵されている傾きセンサ部１２によって、使用シーンによってキーアサインが変更され、使いやすさを確保することができる。
（発明の他の実施形態）
【００４４】
本発明の他の実施形態として、その基本的構成は上記の通り主に携帯電話を例にあげ説明したが、本発明は一般に用いられる各種携帯端末やポータブルゲーム機に対しても適用することが可能である。
（プログラムの実施例）
【００４５】
情報処理装置にインストールすることにより、その情報処理装置に、本実施形態の携帯端末の操作キーの制御機能を実現するプログラムの実施例を説明する。ここで、情報処理装置とは、携帯端末に内蔵される汎用のコンピュータ装置である。
【００４６】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接情報処理装置に本実施例のプログラムをインストールすることもできる。
これにより、情報処理装置を用いて、本実施形態の携帯端末における制御部７の機能を実現することができる。
【００４７】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
【産業上の利用可能性】
【００４８】
本発明によれば、携帯端末の使用形態を従来と比較してさらに広げることができる。
【図面の簡単な説明】
【００４９】
【図１】本発明の実施形態の携帯端末の構成図である（操作入力可能状態）。
【図２】本発明の実施形態の携帯端末の構成図である（操作入力不可状態）。
【図３】本発明の実施形態の携帯端末のブロック構成図である。
【図４】横画面スタイルで携帯端末を使用する場合の状態を示す図である。
【図５】制御部の処理手順を示すフローチャートである。
【図６】左側モードのキー配置を示す図である。
【図７】右側モードのキー配置を示す図である。
【図８】四方向キー部が表示画面に対して右側にある状態を示す図である。
【図９】四方向キー部が表示画面に対して左側にある状態を示す図である。
【符号の説明】
【００５０】
１  表示モジュール部
２  キー入力モジュール部
３、５  四方向キー部
４  数字キー部
６  表示画面
７  制御部
８  表示部
９  入力部
１０  無線部
１１  メモリ部
１２  傾きセンサ部
１３  撮影部
ｓｗ１〜ｓｗ４  スイッチ
【図１】
2009225007.tif 000003
【図２】
2009225007.tif 000004
【図３】
2009225007.tif 000005
【図４】
2009225007.tif 000006
【図５】
2009225007.tif 000007
【図６】
2009225007.tif 000008
【図７】
2009225007.tif 000009
【図８】
2009225007.tif 000010
【図９】
2009225007.tif 000011